(57)【要約】【課題】本発明は建築、構築物の外壁材として使用し、建築用パネルの長手方向端部の防水性を強化した建築用パネルの目地構造に関するものである。【解決手段】表面材１と裏面材２とで合成樹脂発泡体からなる芯材３をサンドイッチし、端部に雄雌連結構造４を形成した建築用パネルＡの長手方向端部の目地構造において、少なくとも雄型連結部４の長手方向端部の連結部内に横走り防止パッキンＰが形成されている建築用パネルＡの目地構造である。【選択図】図１
2007303177.tif 000002
【特許請求の範囲】
【請求項１】
表面材と裏面材とで合成樹脂発泡体からなる芯材をサンドイッチし、端部に雄雌連結構造を形成した建築用パネルの長手方向端部の目地構造において、少なくとも雄型連結部の長手方向端部の連結部内に横走り防止パッキンが形成されていることを特徴とする建築用パネルの目地構造。
【発明の詳細な説明】
【技術分野】
【０００１】
本発明は建築、構築物の外壁材として使用し、建築用パネルの長手方向端部の防水性を強化した建築用パネルの目地構造に関するものである。
【背景技術】
【０００２】
従来この種の建築用パネルの目地構造としては、単に建築用パネルの雄型連結部分をテクス等の固定具により壁下地に固定し、この固定具の頭部を被覆するように雌型連結部を嵌合して、建築用パネル同士を連結する目地構造であった。（例えば、特許文献１、２参照）。
【０００３】
【特許文献１】特開平３−２９２６９９号公報
【特許文献２】特開平５−３１１８４５号公報
【発明の開示】
【発明が解決しようとする課題】
【０００４】
しかしながら、特許文献１、２の建築用パネルを施工した壁体は、雨水が縦目地部分から嵌合部分内に吹き込むと、縦目地部を伝って躯体内部にまで雨水が浸入し、建築用パネル端部で内部に浸入して壁下地側に浸入し、建築用パネルや壁下地に腐食等の悪影響を与えることがあった。
【課題を解決するための手段】
【０００５】
本発明はこのような欠点を解決するために、表面材と裏面材とで合成樹脂発泡体からなる芯材をサンドイッチし、端部に雄雌連結構造を形成した建築用パネルの長手方向端部の目地構造において、少なくとも雄型連結部の長手方向端部の連結部内に横走り防止パッキンが形成されている建築用パネルの目地構造を提供すれものである。
【発明の効果】
【０００６】
本発明に係る建築用パネルの目地構造によれば、横走り防止パッキンの形成により雨水の横走りを防止して躯体内部への雨水の浸入を防止し、（１）目地部と縦目地部間の防水性を強化できる。（２）躯体の腐食を防止する防腐食性を強化できる。等の特徴、効果がある。
【発明を実施するための最良の形態】
【０００７】
以下に、図面を用いて本発明に係る建築用パネルの目地構造の一実施例について詳細に説明する。すなわち、図１は上記目地構造を説明する断面図、図２、図３は建築用パネルＡを示す斜視図、図４（ａ）〜（ｃ）は横走り防止パッキンＰを示す説明図、図５〜図９は施工状態と、施工順序を示す断面図であり、建築用パネルＡ、ジョイナーＢ、無機シートＣ、熱橋防止シートＤ、目地キャップＥ、止水パッキンＦ、目地パッキンＧ、横走り防止パッキンＰ、壁下地α、固定具βからなる目地構造、所謂縦目地構造を示すものである。
【０００８】
先ず、目地構造を構成する各部材から説明すると、建築用パネルＡとしては例えば図２、図３に示すように、表面材１と裏面材２とで芯材３をサンドイッチした長尺板状の建築用パネルＡであり、一端部に雄型連結部４、他端部に雌型連結部５を形成したものである。また、１ａは表面材１の端部を内方に屈曲した箱折り片である。
【０００９】
表面材１と裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したもの、さらには、裏面材２としてはアルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。勿論、これらに任意模様のエンボス加工を施すこともできる。
【００１０】
６は防火シート、７は防水パッキン、８は耐火ボードである。
【００１１】
横走り防止パッキンＰは、雄型連結部４に形成した水平部５ａ、凸部５ｂ、凹部５ｃに合致した形状に形成するものであり、例えば、図４（ａ）〜（ｃ）に示すように形成したものである。その形状は、水平部９、突出部１０、防水部１１とからなる短尺状で、その裏面に接着層１２を介して離型紙１２ａが形成されたものである。勿論、接着時に離型紙１２ａを剥がして図１、図３に示すように接着するものである。
【００１２】
横走り防止パッキンＰは図３に示すように雄型連結部４の端部に接着材１２により接着されるものである。また、横走り防止パッキンＰは図６に示すように、図５に示す目地部５ｄ内部の空間γ内部に形成され、雨水が目地部γを伝って図１に示すような縦目地部分で内部の躯体α内部に浸入しないように形成し、防水性と、躯体αの腐食防止機能を発揮するものである。
【００１３】
その素材としては、例えばＥＰＤＭ、発泡ゴム、ポリ塩化ビニル系、クロロプレン系、クロロスルホン化ポリエチレン系、エチレンプロピレン系、アスファルト含浸ポリウレタン系等の弾性を有する乾式定形で扱い易く、防水性を有するものである。また、これらの成分の中に、耐火性、防火性を有する例えばポリリン酸、水酸化アルミニウム、フェノール樹脂粒、カーボンブラック、グラファイト（発泡、非発泡）等の難燃材を混入することもできる。
【００１４】
さらに、芯材３はポリウレタンフォーム、ポリイソシアヌレートフォーム、フェノールフォーム、塩化ビニルフォーム、ポリエチレンフォーム、ポリスチレンフォーム、ユリアフォーム等からなる合成樹脂発泡体であり、主に表面材１と裏面材２の接着剤、建築用パネルＡの断熱材として機能するものである。さらに、芯材３には各種難燃材を混入し、防火構造、耐火構造を取得できる建築用パネルＡとすることもできる。
【００１５】
表面材１と裏面材２との一体化は芯材３の持つ自己接着性によりなされるものであり、その際は図に示すように表面材１の舌片１０と裏面材２の舌片１６、表面材１の舌片１４と裏面材２の舌片１７が嵌合するようにして一体化させるものである。
【００１６】
つぎに、建築用パネルＡの施工例を通して目地構造について説明する。図１、図７に示すように、まず下段の建築用パネルＡを鉄骨下地（Ｈ型鋼材、Ｃ型鋼材、角型鋼材、Ｌ字アングル材等）からなる壁下地αに当接し、雄型連結部４をテクス、スクリュービス等の固定具βを介して建築用パネルＡを壁下地αに固定する。
【００１７】
次に、図１、図７に示すように、横走り防止パッキンＰで固定具βの頭部β１を被覆し、その後、図８、図９に示すように下段の建築用パネルＡの雄型連結部４に上段の建築用パネルＡの雌型連結部５を嵌合し建築用パネルＡ同士を連結する。
【００１８】
このように、横走り防止パッキンＰが目地部γにおいて空間γの空隙を完全に充填するので、外部からの雨水の浸入を防止するものである。さらに、横走り防止パッキンＰは固定具βの頭部を完全に被覆する形となるので、固定具βにより建築用パネルＡに開けられた孔を保護し、孔から建築用パネルＡ内部に雨水が浸入するのを防止できるものである。
【図面の簡単な説明】
【００１９】
【図１】本発明に係る建築用パネルの目地構造の代表的一例を示す断面図である。
【図２】本発明に係る建築用パネルの目地構造に使用する建築用パネルの代表的一例を示す斜視図である。
【図３】本発明に係る建築用パネルの目地構造に使用する建築用パネルの代表的一例を示す斜視図である。
【図４】本発明に係る建築用パネルの目地構造に使用する横走り防止パッキンの代表的一例を示す説明図である。
【図５】本発明に係る建築用パネルの目地構造の施工状態を示す断面図である。
【図６】本発明に係る建築用パネルの目地構造の施工状態を示す断面図である。
【図７】本発明に係る建築用パネルの目地構造の施工順序を示す断面図である。
【図８】本発明に係る建築用パネルの目地構造の施工順序を示す断面図である。
【図９】本発明に係る建築用パネルの目地構造の施工順序を示す断面図である。
【符号の説明】
【００２０】
Ａ  建築用パネル
Ｂ  ジョイナー
Ｃ  無機シート
Ｄ  熱橋防止シート
Ｅ  目地キャップ
Ｆ  止水パッキン
Ｇ  目地パッキン
Ｐ  横走り防止パッキン
α  躯体
β  固定具
γ  空間
１  表面材
１ａ  箱折り片
２  裏面材
３  芯材
４  雄型連結部
５  雌型連結部
５ａ  水平部
５ｂ  凸部
５ｃ  凹部
５ｄ  目地部
６  防火シート
７  防水パッキン
８  耐火ボード
９  水平部
１０  突出部
１１  防水部
１２  接着層
１２ａ  離型紙
【図１】
2007303177.tif 000003
【図２】
2007303177.tif 000004
【図３】
2007303177.tif 000005
【図４】
2007303177.tif 000006
【図５】
2007303177.tif 000007
【図６】
2007303177.tif 000008
【図７】
2007303177.tif 000009
【図８】
2007303177.tif 000010
【図９】
2007303177.tif 000011
【手続補正書】
【提出日】平成18年5月12日(2006.5.12)
【手続補正１】
【補正対象書類名】図面
【補正対象項目名】図１
【補正方法】変更
【補正の内容】
【図１】
2007303177.tif 000012